(57)【要約】      （修正有）【課題】ローディングユニットを外科手術ステープル留め器具に取り付けるためのインターロックアセンブリを提供する。【解決手段】ローディングユニット１００を取り付けるためのインターロックアセンブリ１１０は、第１および第２の円筒形部分１０６、１０８を含む近位端と、ステープルカートリッジを支持している遠位端とを有するシェル部材１０２と、カラー部材１２０であって、カラー部材は第１および第２の円筒形部分の周りに受け取られ、係止された位置と係止されていない位置との間を移動可能であり、カラー部材は、複数のスロットを規定する、カラー部材と、アダプターアセンブリであって、アダプターアセンブリは複数のラグを含み、複数のラグは、カラー部材が係止されていない位置にある場合、複数のスロット内に選択的に受け取り可能であり、カラー部材が係止された位置にある場合、スロット内に固定されている、アダプターアセンブリとを含む。【選択図】図３
2015213746.tif 000002
【特許請求の範囲】
【請求項１】
ローディングユニットを外科手術ステープル留め器具に取り付けるためのインターロックアセンブリであって、該インターロックアセンブリは、
シェル部材であって、該シェル部材は、第１の円筒形部分と第２の円筒形部分とを含む近位端と、ステープルカートリッジを支持している遠位端とを有し、該ステープルカートリッジは、１対の同心の列で配置されている複数のステープル保持スロットを規定する、シェル部材と、
カラー部材であって、該カラー部材は、該第１の円筒形部分および該第２の円筒形部分の周りに受け取られ、係止された位置と係止されていない位置との間を移動可能であり、該カラー部材は、複数のスロットを規定する、カラー部材と、
アダプターアセンブリであって、該アダプターアセンブリは、該シェル部材の該近位端に選択的に固定可能である遠位端を含み、該アダプターアセンブリは、複数のラグを含み、該複数のラグは、該カラー部材が、該係止されていない位置にある場合、該複数のスロット内に選択的に受け取り可能であり、該カラー部材が、該係止された位置にある場合、該スロット内に固定されている、アダプターアセンブリと
を含む、インターロックアセンブリ。
【請求項２】
前記第１の円筒形部分の周りに動作可能に受け取られているねじりばねをさらに含み、該ねじりばねは、前記カラー部材を前記係止された位置に付勢する、請求項１に記載のインターロックアセンブリ。
【請求項３】
前記ねじりばねは、前記シェル部材における開口部内に受け取られている第１の端と、カラー部材に形成されているタブを係合している第２の端とを含む、請求項２に記載のインターロックアセンブリ。
【請求項４】
前記カラー部材は、前記シェル部材の前記第２の円筒形部分に形成されている対応する切欠き内に受け取られている１対のタブを含み、該１対のタブは、該シェル部材に対する該カラー部材の移動を制限する、請求項１に記載のインターロックアセンブリ。
【請求項５】
前記アダプターアセンブリの前記遠位端は、前記シェル部材の前記第１の円筒形部分の周りに受け取り可能である、請求項１に記載のインターロックアセンブリ。
【請求項６】
前記第１の円筒形部分は、１対のタブを含み、該１対のタブは、前記アダプターアセンブリの前記遠位端によって規定される１対の長手方向のスロット内に受け取られるために構成されている、請求項１に記載のインターロックアセンブリ。
【請求項７】
前記カラー部材は、ユーザーによる動作可能な係合を容易にするように構成されている外側表面を含む、請求項１に記載のインターロックアセンブリ。
【請求項８】
前記外側表面は、複数のリッジを含む、請求項７に記載のインターロックアセンブリ。
【請求項９】
ローディングユニットを外科手術ステープル留め器具に取り付けるためのインターロックアセンブリであって、該インターロックアセンブリは、
シェル部材であって、該シェル部材は、１対の開口部を規定する近位端と、ステープルカートリッジを支持している遠位端とを有し、該ステープルカートリッジは、１対の同心の列で配置されている複数のステープル保持スロットを規定する、シェル部材と、
アダプターアセンブリであって、該アダプターアセンブリは、該シェル部材の該近位端に固定可能である遠位端を含み、該アダプターアセンブリは、１対のアームを含み、該１対のアームの各々は、その自由端の突出部を含み、該突出部の各々は、該アダプターアセンブリの該遠位端が該シェル部材の該近位端内に受け取られている場合、該１対の開口部内に受け取られている、アダプターアセンブリと
を含む、インターロックアセンブリ。
【請求項１０】
前記アダプターアセンブリの前記遠位端は、レッジを規定し、該レッジは、前記１対の開口部との前記１対の突出部の整列を容易にするために、該アダプターアセンブリの該遠位端が前記シェル部材の前記近位端内に受け取られている場合、該シェル部材の該近位端の近位表面を係合するように構成されている、請求項９に記載のインターロックアセンブリ。
【請求項１１】
前記１対のアームは、半径方向に内方に可撓である、請求項９に記載のインターロックアセンブリ。
【請求項１２】
前記１対のアームは、完全に対向している、請求項９に記載のインターロックアセンブリ。
【請求項１３】
ローディングユニットを外科手術ステープル留め器具に取り付けるためのインターロックアセンブリであって、該インターロックアセンブリは、
シェル部材であって、該シェル部材は、第１のねじ切りされた部分を含む近位端と、ステープルカートリッジを支持している遠位端とを有し、該ステープルカートリッジは、１対の同心の列で配置されている複数のステープル保持スロットを規定する、シェル部材と、
アダプターアセンブリであって、該アダプターアセンブリは、遠位端を含み、該遠位端は、該シェル部材の該近位端内に受け取り可能であるフランジと、該フランジの近位に配置されている第２のねじ切りされた部分とを有する、アダプターアセンブリと、
カラー部材であって、該カラー部材は、該アダプターアセンブリの該遠位端の周りに受け取られ、内部がねじ切りされた部分を含み、該内部がねじ切りされた部分は、該第２のねじ切りされた部分と係合しており、該カラー部材は、該アダプターアセンブリの該フランジが該シェル部材の該近位端内に受け取られている場合、該第１のねじ切りされた部分との選択的な係合へ移動可能である、カラー部材と
を含む、インターロックアセンブリ。
【請求項１４】
前記カラー部材は、ユーザーによる選択的な係合を容易にするように構成されている外側表面を含む、請求項１３に記載のインターロックアセンブリ。
【請求項１５】
前記外側表面は、複数のリッジを含む、請求項１４に記載のインターロックアセンブリ。
【発明の詳細な説明】
【技術分野】
【０００１】
背景
技術分野
本開示は、交換可能なローディングユニットを含む外科手術ステープル留めデバイスに関する。より詳しくは、本開示は、交換可能なローディングユニットを外科手術ステープル留めデバイスの作動アセンブリおよび／または外科手術アダプターアセンブリに動作可能に固定するためのインターロックアセンブリに関する。
【背景技術】
【０００２】
関連技術の背景
ステープル、クリップ、または他のファスナーを組織に適用するための外科手術デバイスは、周知である。内視鏡ステープル留めデバイスは、作動ユニット（すなわち、デバイスを作動させるためのハンドルアセンブリ、および内視鏡アクセスのためのシャフト）と、シャフトの遠位端に配置されているツールアセンブリとを含む。これらのデバイスのうちの特定のものは、交換可能なローディングユニットとの使用のために設計され、この交換可能なローディングユニットは、ツールアセンブリを含み、ステープルまたはファスナーを収容する。交換可能なローディングユニットは、様々なサイズのステープルを含み得、ステープルは、１つ以上の構成で配置され得る。交換可能なローディングユニットを有するステープル留めデバイスの発射後、ユーザーは、空の交換可能なローディングユニットを作動ユニットから取り外し得、第２の交換可能なローディングユニットを選択して、作動ユニットに取り付け得、ステープル留めデバイスを再び発射し得る。このプロセスは、外科手術手順中、繰り返し実施され得る。
【０００３】
ステープル留めデバイスの多くは、交換可能なローディングユニットを作動ユニットに選択的に取り付けるためのインターロックアセンブリを含む。インターロックアセンブリの構成要素は、代表的に、作動ユニットの細長い本体に位置しているか、または作動ユニットに接続されているアダプターアセンブリに位置している。作動ユニットおよびアダプターアセンブリの滅菌および掃除は、細長い本体またはアダプターアセンブリにおけるインターロック構成要素の場所に起因して複雑である。
【０００４】
従って、インターロックアセンブリの構成要素がローディングユニットに位置しており、従って、滅菌を必要としない外科手術デバイスを有することは、有益である。
【発明の概要】
【課題を解決するための手段】
【０００５】
概要
従って、ローディングユニットを外科手術ステープル留め器具に取り付けるためのインターロックアセンブリが提供される。インターロックアセンブリは、シェル部材と、カラー部材と、アダプターアセンブリとを含む。シェル部材は、第１の円筒形部分と第２の円筒形部分とを含む近位端と、ステープルカートリッジを支持している遠位端とを有し、このステープルカートリッジは、１対の同心の列で配置されている複数のステープル保持スロットを規定する。カラー部材は、第１および第２の円筒形部分の周りに受け取られ、係止された位置と係止されていない位置との間を移動可能である。カラー部材は、複数のスロットを規定する。アダプターアセンブリは、シェル部材の近位端に選択的に固定可能である遠位端を含む。アダプターアセンブリは、複数のラグを含み、複数のラグは、カラー部材が、係止されていない位置にある場合、複数のスロット内に選択的に受け取り可能であり、カラー部材が、係止された位置にある場合、スロット内に固定されている。
【０００６】
インターロックアセンブリは、第１の円筒形部分の周りに動作可能に受け取られているねじりばねをさらに含み得、このねじりばねは、カラー部材を係止された位置に付勢する。１つの実施形態において、アダプターアセンブリの遠位端は、シェル部材の第１の円筒形部分の周りに受け取り可能である。第１の円筒形部分は、１対のタブを含み得、１対のタブは、アダプターアセンブリの遠位端によって規定される１対の長手方向のスロット内に受け取られるために構成されている。カラー部材は、ユーザーによる動作可能な係合を容易にするように構成されている外側表面を含み得る。
【０００７】
ローディングユニットを外科手術ステープル留め器具に取り付けるための別のインターロックアセンブリが提供される。インターロックアセンブリは、シェル部材とアダプターアセンブリとを含む。シェル部材は、１対の開口部を規定する近位端と、ステープルカートリッジを支持している遠位端とを有し、このステープルカートリッジは、１対の同心の列で配置されている複数のステープル保持スロットを規定する。アダプターアセンブリは、シェル部材の近位端に固定可能である遠位端を含み、アダプターアセンブリは、１対のアームを含み、１対のアームの各々は、その自由端の突出部を含み、突出部の各々は、アダプターアセンブリの遠位端がシェル部材の近位端内に受け取られている場合、１対の開口部内に受け取られている。アダプターアセンブリの遠位端は、レッジを規定し得、このレッジは、１対の開口部との１対の突出部の整列を容易にするために、アダプターアセンブリの遠位端がシェル部材の近位端内に受け取られている場合、シェル部材の近位端の近位表面を係合するように構成されている。１対のアームは、半径方向に内方に可撓であり得る。
【０００８】
ローディングユニットを外科手術ステープル留め器具に取り付けるためのさらに別のインターロックアセンブリが提供される。インターロックアセンブリは、シェル部材を含み、このシェル部材は、第１のねじ切りされた部分を含む近位端と、ステープルカートリッジを支持している遠位端とを有し、このステープルカートリッジは、１対の同心の列で配置されている複数のステープル保持スロットを規定する。インターロックアセンブリは、アダプターアセンブリをさらに含み、このアダプターアセンブリは、遠位端を含み、この遠位端は、シェル部材の近位端内に受け取り可能であるフランジと、フランジの近位に配置されている第２のねじ切りされた部分とを有する。インターロックアセンブリは、カラー部材も含み、このカラー部材は、アダプターアセンブリの遠位端の周りに受け取られ、内部がねじ切りされた部分を含み、この内部がねじ切りされた部分は、第２のねじ切りされた部分と係合している。カラー部材は、アダプターアセンブリのフランジがシェル部材の近位端内に受け取られている場合、第１のねじ切りされた部分との選択的な係合へ移動可能であり得る。カラー部材は、ユーザーによる選択的な係合を容易にするように構成されている外側表面を含み得る。
【０００９】
本発明は、例えば以下の項目を提供する。
（項目１）
ローディングユニットを外科手術ステープル留め器具に取り付けるためのインターロックアセンブリであって、該インターロックアセンブリは、
シェル部材であって、該シェル部材は、第１の円筒形部分と第２の円筒形部分とを含む近位端と、ステープルカートリッジを支持している遠位端とを有し、該ステープルカートリッジは、１対の同心の列で配置されている複数のステープル保持スロットを規定する、シェル部材と、
カラー部材であって、該カラー部材は、該第１の円筒形部分および該第２の円筒形部分の周りに受け取られ、係止された位置と係止されていない位置との間を移動可能であり、該カラー部材は、複数のスロットを規定する、カラー部材と、
アダプターアセンブリであって、該アダプターアセンブリは、該シェル部材の該近位端に選択的に固定可能である遠位端を含み、該アダプターアセンブリは、複数のラグを含み、該複数のラグは、該カラー部材が、該係止されていない位置にある場合、該複数のスロット内に選択的に受け取り可能であり、該カラー部材が、該係止された位置にある場合、該スロット内に固定されている、アダプターアセンブリと
を含む、インターロックアセンブリ。
（項目２）
上記第１の円筒形部分の周りに動作可能に受け取られているねじりばねをさらに含み、該ねじりばねは、上記カラー部材を上記係止された位置に付勢する、上記項目に記載のインターロックアセンブリ。
（項目３）
上記ねじりばねは、上記シェル部材における開口部内に受け取られている第１の端と、カラー部材に形成されているタブを係合している第２の端とを含む、上記項目のうちのいずれか一項に記載のインターロックアセンブリ。
（項目４）
上記カラー部材は、上記シェル部材の上記第２の円筒形部分に形成されている対応する切欠き内に受け取られている１対のタブを含み、該１対のタブは、該シェル部材に対する該カラー部材の移動を制限する、上記項目のうちのいずれか一項に記載のインターロックアセンブリ。
（項目５）
上記アダプターアセンブリの上記遠位端は、上記シェル部材の上記第１の円筒形部分の周りに受け取り可能である、上記項目のうちのいずれか一項に記載のインターロックアセンブリ。
（項目６）
上記第１の円筒形部分は、１対のタブを含み、該１対のタブは、上記アダプターアセンブリの上記遠位端によって規定される１対の長手方向のスロット内に受け取られるために構成されている、上記項目のうちのいずれか一項に記載のインターロックアセンブリ。
（項目７）
上記カラー部材は、ユーザーによる動作可能な係合を容易にするように構成されている外側表面を含む、上記項目のうちのいずれか一項に記載のインターロックアセンブリ。
（項目８）
上記外側表面は、複数のリッジを含む、上記項目のうちのいずれか一項に記載のインターロックアセンブリ。
（項目９）
ローディングユニットを外科手術ステープル留め器具に取り付けるためのインターロックアセンブリであって、該インターロックアセンブリは、
シェル部材であって、該シェル部材は、１対の開口部を規定する近位端と、ステープルカートリッジを支持している遠位端とを有し、該ステープルカートリッジは、１対の同心の列で配置されている複数のステープル保持スロットを規定する、シェル部材と、
アダプターアセンブリであって、該アダプターアセンブリは、該シェル部材の該近位端に固定可能である遠位端を含み、該アダプターアセンブリは、１対のアームを含み、該１対のアームの各々は、その自由端の突出部を含み、該突出部の各々は、該アダプターアセンブリの該遠位端が該シェル部材の該近位端内に受け取られている場合、該１対の開口部内に受け取られている、アダプターアセンブリと
を含む、インターロックアセンブリ。
（項目１０）
上記アダプターアセンブリの上記遠位端は、レッジを規定し、該レッジは、上記１対の開口部との上記１対の突出部の整列を容易にするために、該アダプターアセンブリの該遠位端が上記シェル部材の上記近位端内に受け取られている場合、該シェル部材の該近位端の近位表面を係合するように構成されている、上記項目のうちのいずれか一項に記載のインターロックアセンブリ。
（項目１１）
上記１対のアームは、半径方向に内方に可撓である、上記項目のうちのいずれか一項に記載のインターロックアセンブリ。
（項目１２）
上記１対のアームは、完全に対向している、上記項目のうちのいずれか一項に記載のインターロックアセンブリ。
（項目１３）
ローディングユニットを外科手術ステープル留め器具に取り付けるためのインターロックアセンブリであって、該インターロックアセンブリは、
シェル部材であって、該シェル部材は、第１のねじ切りされた部分を含む近位端と、ステープルカートリッジを支持している遠位端とを有し、該ステープルカートリッジは、１対の同心の列で配置されている複数のステープル保持スロットを規定する、シェル部材と、
アダプターアセンブリであって、該アダプターアセンブリは、遠位端を含み、該遠位端は、該シェル部材の該近位端内に受け取り可能であるフランジと、該フランジの近位に配置されている第２のねじ切りされた部分とを有する、アダプターアセンブリと、
カラー部材であって、該カラー部材は、該アダプターアセンブリの該遠位端の周りに受け取られ、内部がねじ切りされた部分を含み、該内部がねじ切りされた部分は、該第２のねじ切りされた部分と係合しており、該カラー部材は、該アダプターアセンブリの該フランジが該シェル部材の該近位端内に受け取られている場合、該第１のねじ切りされた部分との選択的な係合へ移動可能である、カラー部材と
を含む、インターロックアセンブリ。
（項目１４）
上記カラー部材は、ユーザーによる選択的な係合を容易にするように構成されている外側表面を含む、上記項目のうちのいずれか一項に記載のインターロックアセンブリ。
（項目１５）
上記外側表面は、複数のリッジを含む、上記項目のうちのいずれか一項に記載のインターロックアセンブリ。
【００１０】
（摘要）
ローディングユニットを外科手術ステープル留め器具に取り付けるためのインターロックアセンブリが提供される。インターロックアセンブリは、シェル部材の近位端、およびアダプターアセンブリの遠位端に形成されている。インターロックアセンブリは、シェル部材をアダプターアセンブリに選択的に固定するためのカラー部材を含み得る。カラー部材は、シェル部材またはアダプターアセンブリに取り付けられ得る。
【００１１】
本明細書中に組み込まれ、本明細書の一部を構成する添付の図面は、本開示の実施形態を例示し、上に与えられた本開示の概略的な説明および下に与えられる実施形態（複数可）の詳細な説明と一緒に、本開示の原理を説明するために役立つ。
【図面の簡単な説明】
【００１２】
【図１】図１は、本開示の実施形態に従う交換可能なローディングユニット、および本開示の実施形態に従うアダプターアセンブリの遠位端の斜視図である。
【図２】図２は、図１に示されるアダプターアセンブリの遠位端に選択的に取り付けられている図１に示されるローディングユニットの斜視図である。
【図３】図３は、図１に示される交換可能なローディングユニットの分解斜視図である。
【図４】図４は、カラー部材が取り外されている、図１に示される交換可能なローディングユニットの近位端の斜視図である。
【図５】図５は、図１に示される交換可能なローディングユニットのカラー部材の断面斜視図である。
【図６】図６は、内部構成要素が取り外されている、図１に示されるローディングユニットの断面斜視側面図である。
【図７】図７は、アダプターアセンブリへのローディングユニットの取り付け前の、図１に示される交換可能なローディングユニット、および図１に示されるアダプターアセンブリの遠位端の側面図である。
【図８】図８は、図１に示されるアダプターアセンブリの遠位端の斜視端面図、および図１に示される交換可能なローディングユニットの近位端の斜視図である。
【図９】図９は、ローディングユニットの差込み型スロット内にアダプターアセンブリのラグが受け取られる前の、図１に示される交換可能なローディングユニットおよびアダプターアセンブリのインターロックアセンブリの側面図である。
【図１０】図１０は、ローディングユニットのスロット内へのアダプターアセンブリのラグの受け取り時の、図１のインターロックアセンブリの側面図である。
【図１１】図１１は、アダプターアセンブリのラグが、交換可能なローディングユニットのスロット内に固定されている、図９および図１０のインターロックアセンブリの側面図である。
【図１２】図１２は、図１に示される交換可能なローディングユニット、およびアダプターアセンブリの遠位端の断面斜視図であり、交換可能なローディングユニットは、アダプターアセンブリに固定して取り付けられている。
【図１３】図１３は、本開示の別の実施形態に従う交換可能なローディングユニット、および本開示の別の実施形態に従うアダプターアセンブリの遠位端の斜視図である。
【図１４】図１４は、図１３に示されるアダプターアセンブリの遠位端に選択的に取り付けられている図１３に示される交換可能なローディングユニットの斜視図である。
【図１５】図１５は、図１３に示されるアダプターアセンブリの遠位端の斜視図である。
【図１６】図１６は、内部構成要素が取り外されている、図１３に示される交換可能なローディングユニットの断面斜視図、および図１３に示されるアダプターアセンブリの遠位端の断面斜視図である。
【図１７】図１７は、図１６に示される交換可能なローディングユニットの近位端、およびアダプターアセンブリの遠位端の断面斜視図であり、交換可能なローディングユニットは、アダプターアセンブリに部分的に取り付けられている。
【図１８】図１８は、図１６に示される交換可能なローディングユニット、およびアダプターアセンブリの遠位端の断面斜視図であり、交換可能なローディングユニットは、アダプターアセンブリに取り付けられている。
【図１９】図１９は、本開示の別の実施形態に従う交換可能なローディングユニット、および本開示の別の実施形態に従うアダプターアセンブリの遠位端の斜視図である。
【図２０】図２０は、図１９に示されるアダプターアセンブリに取り付けられている図１９に示される交換可能なローディングユニットの斜視図である。
【図２１】図２１は、カラー部材が取り外されている、図１９に示される交換可能なローディングユニット、およびアダプターアセンブリの遠位端の斜視図である。
【図２２】図２２は、図１９に示されるアダプターアセンブリのカラー部材の斜視図である。
【図２３】図２３は、内部構成要素が取り外されている、図１９に示される交換可能なローディングユニットの断面側面図、および図１９に示されるアダプターアセンブリの遠位端の断面側面図である。
【図２４】図２４は、図２３に示されるアダプターアセンブリの遠位端に部分的に取り付けられている図２３に示される交換可能なローディングユニットの断面側面図である。
【図２５】図２５は、図２３に示されるアダプターアセンブリの遠位端に取り付けられている図２３に示される交換可能なローディングユニットの断面側面図である。
【発明を実施するための形態】
【００１３】
詳細な説明
次に、本開示のインターロックアセンブリの実施形態が、図面を参照して詳細に記載され、図面において、類似の参照数字は、数枚の図の各々における、同一の要素または対応する要素を表す。当該分野において一般的であるように、用語「近位」は、ユーザーまたは操作者、すなわち、外科医または臨床医により近い、その部分または構成要素を指し、他方、用語「遠位」は、ユーザーからより遠くに離れた、その部分または構成要素を指す。
【００１４】
図１および図２を参照すると、本開示の実施形態に従うインターロックアセンブリが、全体的にインターロックアセンブリ１１０として示されている。インターロックアセンブリ１１０は、ローディングユニット１００の近位端１０４、およびアダプターアセンブリ１５０の遠位端１５２に形成されている。インターロックアセンブリ１１０は、ローディングユニット１００をアダプターアセンブリ１５０に動作可能に固定するように構成されている。アダプターアセンブリ１５０は、ローディングユニット１００を外科手術ステープル留めデバイス（示されない）に動作可能に接続するように構成されている。インターロックアセンブリ１１０は、ローディングユニット１００およびアダプターアセンブリ１５０を参照して示され、記載されているが、インターロックアセンブリ１１０が、異なるローディングユニットにおける使用のため、および異なるアダプターアセンブリとの使用のために改変され得ることが想定される。あるいは、インターロックアセンブリ１１０は、作動アセンブリ（示されない）の細長い本体（示されない）に直接接続されるために改変され得る。ローディングユニット１００およびアダプターアセンブリ１５０は、本開示の局面を完全に開示するために必要な程度まで記載されるのみである。
【００１５】
例示的なローディングユニットおよびアダプターアセンブリのより詳細な記載について、共有に係る米国特許出願公開第２０１３／０１８１０３５号（その内容は、その全体が本明細書中で参考として援用される）を参照のこと。アダプターアセンブリおよび／またはローディングユニットを動作させるための例示的な電気機械式外科手術ステープル留めデバイスは、米国特許出願公開第２０１２／０２５３３２９号に示され、記載され、その内容はまた、その全体が本明細書中で参考として援用される。
【００１６】
次に、図３および図４を参照すると、ローディングユニット１００は、シェル部材１０２を含む。インターロックアセンブリ１１０は、シェル部材１０２の近位端１０４ａに位置し、第１の円筒形部分１０６および第２の円筒形部分１０８と、カラー部材１２０と、ねじりばね１３０とを含む。インターロックアセンブリ１１０の第１の円筒形部分１０６は、アダプターアセンブリ１５０の長手方向の開口部１５１（図８）内に受け取られるように構成されている。１対のラグ１１２は、第１の円筒形部分１０６から半径方向に外方に延び、アダプターアセンブリ１５０の遠位端１５２の内側表面１５２ａに形成されているスロット１５３（図８）内に受け取られるように構成されている。インターロックアセンブリ１１０の第２の円筒形部分１０８は、インターロックアセンブリ１１０のカラー部材１２０内に受け取られるように構成されている。インターロックアセンブリ１１０の第２の円筒形部分１０８は、１対の切欠き１１１（図１２）を規定し、各々は、タブ１２６を受け取るように構成され、このタブ１２６は、カラー部材１２０の遠位部分１２４に形成され、カラー部材１２０の遠位部分１２４から半径方向に内方に延びている。さらに詳細に下に記載されるように、第２の円筒形部分１０８の切欠き１１１内へのタブ１２６を受け取りは、カラー部材１２０とシェル部材１０２との間の回転の量を制限する。レッジ１１４は、第１の円筒形部分１０６と第２の円筒形部分１０８との間に形成されている。レッジ１１４は、穴またはアパーチャ１１３を規定し、この穴またはアパーチャ１１３は、インターロックアセンブリ１１０のねじりばね１３０の第１の端１３０ａを受け取るように構成されている。
【００１７】
シェル部材１０２の遠位端１０４ｂは、ステープルカートリッジ１４０（図２）を支持している。ステープルカートリッジ１４０は、発射後、ステープルカートリッジ１４０の交換を可能にするために、シェル部材１０２に解放可能に固定され得る。ステープルカートリッジ１４０は、１対の同心の列で配置されている複数のステープル保持スロット１４１を規定し、複数のステープル（示されない）を保持するように構成されている。
【００１８】
次に、図５を特に参照すると、カラー部材１２０は、円筒形部材を形成し、この円筒形部材は、シェル部材１０２の近位端１０４ａの周りに回転可能に受け取られるように構成されている。カラー部材１２０は、近位部分１２２と遠位部分１２４とを含む。近位部分１２２および遠位部分１２４は、レッジ１２３によって分離されている。カラー部材１２０の遠位部分１２４は、ねじりばね１３０の周りに受け取られるための寸法にされ、レッジ１２３は、ねじりばね１３０をカラー部材１２０内に保持するように構成されている。カラー部材１２０は、フラップ１２５を含み、このフラップ１２５は、ねじりばね１３０の第２の端１３０ｂを係合するように構成されている。上で言及されるように、カラー部材１２０の遠位部分１２４は、１対のタブ１２６を含み、１対のタブ１２６は、インターロックアセンブリ１１０の第２の円筒形部分１０８の切欠き１１１（図１２）内に受け取られるように構成され、シェル部材１０２に対するカラー部材１２０の回転移動を制限するように構成されている。
【００１９】
依然として図５を参照すると、カラー部材１２０の近位部分１２２は、ラグ１５４を選択的に係合するための複数の差込み型スロット１２７を規定し、ラグ１５４は、アダプターアセンブリ１５０から半径方向に外方に延びている。スロット１２７は、カラー部材１２０の近位部分１２２の傾斜した部分または角度を付けられた部分１２７ａおよびカラー部材１２０の近位部分１２２の凹んだ部分１２７ｂによって規定される。さらに詳細に下に記載されるように、カラー部材１２０の傾斜した部分１２７ａは、アダプターアセンブリ１５０のラグ１５４をカラー部材１２０のスロット１２７内で導くように構成されており、カラー部材１２０の凹んだ部分１２７ｂは、アダプターアセンブリ１５０のラグ１５４（図８）をカラー部材１２０のスロット１２７内に選択的に維持するように構成されている。従って、カラー部材１２０におけるスロット１２７は、サイズおよび場所について、アダプターアセンブリ１５０に形成されているラグ１５４に対応している。
【００２０】
示されるように、カラー部材１２０の近位部分１２２は、４つのスロット１２７を含むが、カラー部材１２０は、任意の数のスロット１２７を含んでよい。スロット１２７の数は、アダプターアセンブリ１５０に形成されているラグ１５４の数よりも多いものであり得ることが想定される。近位部分１２２の外側表面１２８は、リッジ１２８ａを含み得るか、または他の方法で、ユーザーによる動作可能な係合を容易にするように構成され得る。
【００２１】
次に、図６に目を向けると、シェル部材１０２の近位端１０４ａの周りに回転可能に受け取られているカラー部材１２０が示されている。カラー部材１２０のタブ１２６は、シェル部材１０２に対するカラー部材１２０の回転を制限するために、インターロックアセンブリ１１０の第２の円筒形部分１０８の切欠き１１１内に位置決めされる。
【００２２】
ねじりばね１３０は、第１の円筒形部分１０６と第２の円筒形部分１０８との間に形成されているレッジ１１４と、カラー部材１２０の近位部分１２２と遠位部分１２４との間に形成されているレッジ１２３との間に受け取られている。ねじりばね１３０の第１の端１３０ａ（図４）は、シェル部材１０２（図４）のレッジ１１４に形成されている穴１１３内に受け取られ、ねじりばね１３０の第２の端１３０ｂ（図５）は、カラー部材１２０のフラップ１２５を係合している。さらに詳細に下に記載されるように、ねじりばね１３０は、シェル部材１０２に対し、カラー部材１２０の角度のある位置／向きを維持する。
【００２３】
次に、図７および図８を参照すると、アダプターアセンブリ１５０は、交換可能なローディングユニット１００を作動させるための作動ユニット（示されない）に動作可能に接続される。スロット１５３（図８）は、アダプターアセンブリ１５０の遠位端１５２の内部表面１５２ａ上に規定され、ラグ１５４は、アダプターアセンブリ１５０の遠位端１５２の外側表面１５２ｂ上に形成されている。上で言及されるように、アダプターアセンブリ１５０のスロット１５３は、インターロックアセンブリ１１０の第１の円筒形部分１０６に形成されているラグ１１２を受け取るように構成され、アダプターアセンブリ１５０のラグ１５４は、インターロックアセンブリ１１０のカラー部材１２０のスロット１２７内に受け取られるように構成されている。アダプターアセンブリ１５０の遠位端１５２は、シェルフ１５６をさらに含み得る。さらに詳細に下に記載されるように、シェルフ１５６は、ローディングユニット１００がアダプターアセンブリ１５０の遠位端１５２の周りに受け取られている場合、インターロックアセンブリ１１０の第１の円筒形部分１０６の近位端１０６ａを係合するように構成されている。
【００２４】
次に、インターロックアセンブリ１１０の動作が、図７〜図１１を参照して記載される。図７および図８を引き続き参照すると、ローディングユニット１００は、インターロックアセンブリ１１０の第１の円筒形部分１０６におけるラグ１１２（図８）が、アダプターアセンブリ１５０のスロット１５３（図８）と整列するように、アダプターアセンブリ１５０に対して整列させられ、および／または配向されている。図９に目を向けると、ローディングユニット１００がアダプターアセンブリ１５０を覆って長手方向に前進させられる場合、アダプターアセンブリ１５０に形成されているラグ１５４は、カラー部材１２０の近位部分１２２に形成されているスロット１２７内に受け取られる。特に、アダプターアセンブリ１５０のラグ１５４は、カラー部材１２０の近位部分１２２の傾斜した部分１２７ａを係合する。傾斜した部分１２７ａとのラグ１５４の係合は、矢印「Ａ」（図１０）によって示されるように、アダプターアセンブリ１５０に対して時計回りの方向へのカラー部材１２０の回転をもたらす。
【００２５】
時計回りの方向へのカラー部材１２０の回転は、示されるように、矢印「Ｂ」によって示されるように、アダプターアセンブリ１５０に対するローディングユニット１００の前進をさらに可能にする。カラー部材１２０が時計回りの方向に回転させられる場合、ねじりばね１３０は、（半径方向に）拡張させられ、反時計回りの方向へのカラー部材１２０に対するばね付勢を再形成する。ローディングユニット１００がアダプターアセンブリ１５０を覆って完全に前進させられる場合、アダプターアセンブリ１５０のラグ１５４は、スロット１２７内に完全に受け取られる。
【００２６】
図１１に目を向けると、アダプターアセンブリ１５０のラグ１５４がカラー部材１２０のスロット１２７内に完全に受け取られると、アダプターアセンブリ１５０のラグ１５４は、カラー部材１２０の近位部分１２２の凹んだ部分１２７ｂと整列する。カラー部材１２０に作用するねじりばね１３０（図１２）のばね付勢は、カラー部材１２０が、図１１における矢印「Ｃ」によって示されるように、反時計回りの方向に回転することをもたらし、カラー部材１２０を回転前の位置に戻す。反時計回りの方向へのカラー部材１２０の回転、すなわち、回転前の位置へのカラー部材１２０の戻りは、アダプターアセンブリ１５０のラグ１５４の周りにカラー部材１２０の近位部分１２２の凹んだ部分１２７ｂを位置決めし、それにより、ローディングユニット１００をアダプターアセンブリ１５０に対して固定する。
【００２７】
図１２を参照すると、ローディングユニット１００がアダプターアセンブリ１５０に固定されている場合、アダプターアセンブリ１５０のラグ１５４は、カラー部材１２０のスロット１２７内に固定して受け取られ、インターロックアセンブリ１１０の第１の円筒形部分１０６の近位端１０６ａは、アダプターアセンブリ１５０のシェルフ１５６を係合している。
【００２８】
ローディングユニット１００は、接続の態様と反対の態様でアダプターアセンブリ１５０から切り離され得る。特に、インターロックアセンブリ１１０のカラー部材１２０は、アダプターアセンブリ１５０のラグ１５４をカラー部材１２０の凹んだ部分１２７ｂ内から取り外すために、時計回りの方向に回転させられ得、ローディングユニット１００は、アダプターアセンブリ１５０の遠位端１５２の周りからローディングユニット１００を引き抜くために、アダプターアセンブリ１５０に対して長手方向に後退させられ得る。第２またはその後のローディングユニット１００は、次に、上で指示される態様でアダプターアセンブリ１５０に取り付けられ得る。
【００２９】
次に、図１３〜図１８を参照すると、本開示の別の実施形態に従うインターロックアセンブリが、全体的にインターロックアセンブリ２１０として示されている。インターロックアセンブリ２１０は、ローディングユニット２００の近位端２０４、およびアダプターアセンブリ２５０の遠位端２５２に形成されている。インターロックアセンブリ２１０は、ローディングユニット２００をアダプターアセンブリ２５０に動作可能に固定するように構成されている。
【００３０】
図１３〜図１６を参照すると、ローディングユニット２００は、上に記載されるローディングユニット１００と実質的に同様であり、それらの間の違いを識別するために必要な程度まで記載されるのみである。ローディングユニット２００は、シェル部材２０２を含み、このシェル部材２０２は、アダプターアセンブリ２５０の遠位端２５２の周りに受け取られるように構成されている近位端２０４を有する。シェル部材２０２の近位端２０４は、１対の開口部２０３を規定する。さらに詳細に下に記載されるように、開口部２０３は、レッグ２５６の自由端２５６ｂに形成されている突出部２５８を受け取るように構成され、このレッグ２５６の自由端２５６ｂは、アダプターアセンブリ２５０の遠位端２５２に形成されている。
【００３１】
依然として図１３〜図１６を参照すると、アダプターアセンブリ２５０は、シェル部材２０２の近位端２０４内に受け取られるように構成されている遠位端２５２と、シェル部材２０２の近位端２０４の近位表面２０４ａを係合するように構成されているシェルフ２５４とを含む。遠位端２５４は、その第１の端２５６ａにおいて、可撓に取り付けられているレッグ２５６を含む。上で言及されるように、突出部２５８は、レッグ２５６の各々の自由端２５６ｂに形成されている。
【００３２】
次に、インターロックアセンブリ２１０の動作が、図１７および図１８を参照して示され、記載される。最初に図１７を参照すると、アダプターアセンブリ２５０の遠位端２５２は、ローディングユニット２００のシェル部材２０２の近位端２０４と整列させられている。図１７における矢印「Ｄ」によって示されるように、ローディングユニット２００に対するアダプターアセンブリ２５０の前進は、アダプターアセンブリ２５０の遠位端２５２におけるレッグ２５６が、半径方向に内方に曲がることをもたらし、それにより、ローディングユニット２００のシェル部材２０２に対するアダプターアセンブリ２５０の引き続きの前進を可能にする。
【００３３】
次に、図１８に目を向けると、アダプターアセンブリ２５０のシェルフ２５４とのローディングユニット２００のシェル部材２０２の近位端２０４の近位表面２０４ａの係合は、アダプターアセンブリ２５０のレッグ２５６の自由端２５６ｂにおける突出部２５８を、ローディングユニット２００のシェル部材２０２の近位端２０４に形成されている開口部２０３と整列するように整列させる。開口部２０３との突出部２５８の整列は、図１８における矢印「Ｅ」によって示されるように、レッグ２５６の自由端２５６ｂが曲げられていない状態に戻ることを可能にし、この図１８において、アダプターアセンブリ２５０の突出部２５８は、ローディングユニット２００のシェル部材２０２の開口部２０３内に受け取られている。ローディングユニット２００のシェル部材２０２における開口部２０３によるアダプターアセンブリ２５０のレッグ２５６における突出部２５８の受け取りは、ローディングユニット２００をアダプターアセンブリ２５０に固定する。ローディングユニット２００のシェル部材２０２における開口部２０３とのアダプターアセンブリ２５０のレッグ２５６における突出部２５８の整列を容易にするために、シェル部材２０２の近位端２０４およびアダプターアセンブリ２５０の遠位端２５２のうちの一方は、１つ以上の長手方向のタブまたはスロット（示されない）を含み得、シェル部材２０２の近位端２０４およびアダプターアセンブリ２５０の遠位端２５２のうちの他方は、１つ以上の対応するスロットまたはタブ（示されない）を含み得ることが想定される。
【００３４】
ローディングユニット２００は、取り付けの態様と反対の態様でアダプターアセンブリ２５０から分離される。特に、アダプターアセンブリ２５０のレッグ２５６における突出部２５８が半径方向に内方に押し下げられることが、レッグ２５６が曲がることをもたらし、その結果、突出部２５８は、ローディングユニット２００のシェル部材２０２における開口部２０３内から押し出される。レッグ２５６の突出部２５８がローディングユニット２００のシェル部材２０２の開口部２０３内にもはや存在しなくなると、アダプターアセンブリ２５０は、ローディングユニット２００に対して長手方向に後退させられて、アダプターアセンブリ２５０からのローディングユニット２００の分離をもたらし得る。１つ以上のその後のローディングユニット２００は、上に記載される態様で、アダプターアセンブリ２５０に取り付けられ得、アダプターアセンブリ２５０から取り外され得る。
【００３５】
次に図１９〜図２５を参照すると、本開示の別の実施形態に従うインターロックアセンブリが、全体的にインターロックアセンブリ３１０として示されている。インターロックアセンブリ３１０は、ローディングユニット３００の近位端３０４、アダプターアセンブリ３５０の遠位端３５２に形成され、カラー部材３６０を含む。インターロックアセンブリ３１０は、ローディングユニット３００をアダプターアセンブリ３５０に動作可能に固定するように構成されている。
【００３６】
最初に図１９〜図２１を参照すると、ローディングユニット３００は、上に記載されるローディングユニット１００および２００と実質的に同様であり、それらの間の違いを識別するために必要な程度まで記載されるのみである。ローディングユニット３００は、シェル部材３０２を含み、このシェル部材３０２は、アダプターアセンブリ３５０の遠位端３５２に形成されているフランジ３５４の周りに受け取られるように構成されている。シェル部材３０２の近位端３０４は、ねじ筋部分３０６を含み、このねじ筋部分３０６は、カラー３６０によって係合されるように構成されており、このカラー３６０は、アダプターアセンブリ３５０の遠位端３５２に動作可能に取り付けられている。
【００３７】
図１９〜図２１を引き続き参照すると、アダプターアセンブリ３５０の遠位端３５２は、フランジ３５４とねじ切りされた部分３５６とを含む。シェルフ３５８は、遠位端３５２のフランジ３５４とねじ切りされた部分３５６との間に形成され、ローディングユニット３００のシェル部材３０２の近位端３０４の近位表面３０４ａを係合するように構成されている。図２２に示されるように、カラー部材３６０は、アダプターアセンブリ３５０（図１９）の遠位端３５２に動作可能に取り付けられている。カラー部材３６０は、ねじ切りされた内部表面３６２を含み、このねじ切りされた内部表面３６２は、ローディングユニット３００の近位端３０４がアダプターアセンブリ３５０のフランジ３５４の周りに受け取られ、かつシェル部材３０２の近位端３０４の近位表面３０４ａがアダプターアセンブリ３５０の遠位端３５２に形成されているシェルフ３５８に当接している場合、アダプターアセンブリ３５０の遠位端３５２のねじ切りされた部分３５６、およびローディングユニット３００のシェル部材３０２の近位端３０４のねじ切りされた部分３０６を係合するように構成されている。カラー部材３６０の外部部分３６４は、リッジ３６４ａを含み得るか、または他の方法で、ユーザーによる動作可能な係合を容易にするように構成され得る。
【００３８】
次に、インターロックアセンブリ３１０の動作が、図２３〜図２５を参照して示され、記載される。最初に図２３を参照すると、アダプターアセンブリ３５０の遠位端３５２、およびより詳しくはフランジ３５４は、ローディングユニット３００のシェル部材３０２の近位端３０４と整列している。アダプターアセンブリ３５０は、図２３および図２４における矢印「Ｆ」によって示されるように、ローディングユニット３００に対して前進させられ、その結果、アダプターアセンブリ３５０のフランジ３５４は、ローディングユニット３００のシェル部材３０２の近位端３０４内に受け取られ、シェル部材３０２の近位表面３０４ａは、アダプターアセンブリ３５０（図２４）の遠位端３５２に形成されているシェルフ３５８に当接する。
【００３９】
図２４を参照すると、ローディングユニット３００がアダプターアセンブリ３５０のフランジ３５４の周りに完全に受け取られると、すなわち、ローディングユニット３００のシェル部材３０２の近位端３０４の近位表面３０４ａがアダプターアセンブリ３５０の遠位端３５２におけるシェルフ３５８に当接すると、カラー３６０は、図２４における矢印「Ｇ」によって示されるように、ローディングユニット３００およびアダプターアセンブリ３５０に対して、ローディングユニット３００およびアダプターアセンブリ３５０の長手方向の軸「Ｘ」の周りに第１の方向に回転させられて、アダプターアセンブリ３５０の遠位端３５２に形成されている外部ねじ筋３５６およびローディングユニット３００のシェル部材３０２の近位端３０４に形成されている外部ねじ筋３０６とのカラー３６０の内部ねじ切りされた表面３６２のねじ式係合をもたらす。
【００４０】
図２５に目を向けると、アダプターアセンブリ３５０の遠位端３５２における外部ねじ筋３５６およびローディングユニット３００の近位端３０４における外部ねじ筋３０６とのカラー３６０の内部ねじ筋３６２の係合は、ローディングユニット３００をアダプターアセンブリ３５０に固定する。ローディングユニット３００は、取り付けの態様と反対の態様でアダプターアセンブリ３５０から分離され得る。特に、カラー３６０は、図２５における矢印「Ｈ」によって示されるように、ローディングユニット３００およびアダプターアセンブリ３５０に対して、ローディングユニット３００およびアダプターアセンブリ３５０の長手方向の軸「Ｘ」の周りに第２の方向に回転させられる。カラー３６０の内部ねじ切りされた表面３６２がローディングユニット３００のシェル部材３０２の近位端３０４に形成されている外部ねじ筋３０６から係合解除されると、ローディングユニット３００は、アダプターアセンブリ３５０から分離される。１つ以上のその後のローディングユニット３００は、上に記載される態様で、アダプターアセンブリ３５０に取り付けられ得、アダプターアセンブリ３５０から取り外され得る。
【００４１】
本開示の例示的実施形態が、添付の図面を参照して本明細書中に記載されてきたが、本開示は、それらの正確な実施形態に限定されないこと、ならびに様々な他の変更および改変が、本開示の範囲または趣旨から外れることなく、当業者によってその中で達成され得ることが理解されるべきである。
【図１】
2015213746.tif 000003
【図２】
2015213746.tif 000004
【図３】
2015213746.tif 000005
【図４】
2015213746.tif 000006
【図５】
2015213746.tif 000007
【図６】
2015213746.tif 000008
【図７】
2015213746.tif 000009
【図８】
2015213746.tif 000010
【図９】
2015213746.tif 000011
【図１０】
2015213746.tif 000012
【図１１】
2015213746.tif 000013
【図１２】
2015213746.tif 000014
【図１３】
2015213746.tif 000015
【図１４】
2015213746.tif 000016
【図１５】
2015213746.tif 000017
【図１６】
2015213746.tif 000018
【図１７】
2015213746.tif 000019
【図１８】
2015213746.tif 000020
【図１９】
2015213746.tif 000021
【図２０】
2015213746.tif 000022
【図２１】
2015213746.tif 000023
【図２２】
2015213746.tif 000024
【図２３】
2015213746.tif 000025
【図２４】
2015213746.tif 000026
【図２５】
2015213746.tif 000027